(57)【要約】【目的】封筒の再利用と費用並びに資源の有効利用で低コストの封筒を提供する事である。【課題】送信、返信兼用で一体型の低コスト封筒を作る事である。【解決手段】封筒の天地のりしろ若しくは左右のりしろに郵便情報を印刷し、開封又封緘し送信、返信一体型の封筒を提供する事である。【選択図】　　図１
2004123224.tif 000002
【特許請求の範囲】
【請求項１】
封筒の左右ののりしろ部分の両方又はどちらか一方ののりしろ部分を大きく形成し、そののりしろ部分若しくは封筒裏面に１本以上のミシン目等を入れるとともに大きくしたのりしろ部分若しくはフラップの表面の一部に郵便情報等を印刷しのりしろ部分に対応する封筒裏面の糊の貼着部分のできるだけ近くでミシン目等にそって開封し開封されたのりしろ部分で封緘する事を特徴とする封筒。
【請求項２】
封筒の左右ののりしろ部分の両方又はどちらか一方ののりしろ部分の糊の貼着部分の位置がのりしろ部分の折返し部から近い位置と遠い位置になる事を特徴とする請求項１記載の封筒。
【請求項３】
封筒の左右ののりしろ部分の両方又はどちらか一方ののりしろ部分を大きく形成し、そののりしろ部分に１本以上のミシン目等を入れるとともに大きくしたのりしろ部分に対応する封筒本体若しくはフラップの表面の一部に返信用郵便情報等を印刷しその封筒本体の郵便情報等をのりしろ部分でおおいかくして製袋しフラップから封入し、水糊等の糊を塗布し封緘して送信する封筒でのりしろ部分のミシン目にそって切り離して開封し郵便情報等を露出させ又その場所で封緘して返信用封筒を形成する事を特徴とする封筒。
【請求項４】
封筒の底部ののりしろ部分又はフラップ表面部分に郵便情報等を印刷し、のりしろ部分の糊の貼着部分と封筒裏面の貼着部分のできるだけ近くでミシン目等にそって開封し、開封されたのりしろ部分で封緘する事を特徴とする封筒。
【請求項５】
封筒の底部ののりしろ部分の貼着部分の糊の位置がのりしろ部分の折返し部から近い位置と遠い位置になる事を特徴とする請求項４記載の封筒。
【請求項６】
封筒に印刷された返信用郵便情報等の部分に再はくりできるシール等を貼り送信し、貼られている部分のシール等を取り除くと印刷された返信用郵便情報等が表われ返信用封筒を形成する事を特徴とする封筒。
【請求項７】
封筒のフラップの封緘用糊部分をフラップ先端より少し内側にしてそのフラップの先端の糊のついていない部分に１本以上のミシン目等若しくは切り取り線を入れる事を特徴とする封筒。
【請求項８】
封筒のフラップ部分若しくは封筒本体の裏面部分に、透明なフイルム等を貼り表面部分にはミシン目を入れそのミシン目部分を取り除くと郵便情報等が透視できる事を特徴とする封筒。
【発明の詳細な説明】
【０００１】
【発明が属する技術分野】
本発明は封筒、特に返信用封筒に容易に変更することのできる送信用の封筒に関する。
【０００２】
【従来の技術】
一般に郵送されたアンケート等、手紙の内容に対して返事が必要な場合返信用の宛名が印刷されている返信用の封筒あるいは返信用ハガキを入れる事が行なわれている。
【０００３】
【発明が解決しようとする課題】
しかしながら上記従来の方法において送信時に同封された返信用封筒又は返信用葉書が使用されず返信されなかった場合、使用できる返信用封筒又は返信用葉書が廃棄され無駄になるという問題があった。
【０００４】
本発明の目的は封筒の再利用と費用並びに資源の有効利用で低コストの封筒を提供する事である。
【０００５】
【課題を解決する手段】
上記目的を達成する為に本発明の封筒は、請求項１において封筒の左右のりしろ部分の両方又はどちらか一方ののりしろ部分を大きく形成しそののりしろ部分若しくは封筒裏面に１本以上のミシン目等を入れると共に大きくしたのりしろ部分若しくはフラップの表面の一部に郵便情報等を印刷しのりしろ部分に対応する封筒裏面の糊の貼着部分のできるだけ近くでミシン目等にそって開封し、開封されたのりしろ部分で封緘する事によって従来フラップ部分で開封、封緘していたものが新らしい方法で便利になる事である。
請求項２において封筒の左右のりしろ部分の両方又はどちらか一方ののりしろ部分の糊の貼着部分の位置がのりしろ部分の折返し部から近い位置と遠い位置になる事が開封、封緘の重要な要素である。
請求項３において封筒の左右ののりしろ部分の両方又はどちらか一方ののりしろ部分を大きく形成しそののりしろ部分に１本以上のミシン目等を入れるとともに大きくしたのりしろ部分に対応する封筒本体若しくはフラップの表面の一部に返信用郵便情報等を印刷しその封筒本体の郵便情報等をのりしろ部分でおおいかくして製袋しフラップから封入し、水糊等の糊を塗布し封緘して送信する封筒でのりしる部分のミシン目にそって切り離して開封し郵便情報等を露出させ又その場所で封緘して返信用封筒を形成する事は外カマス方式でも従来のフラップの部分で開封、封緘していたものが新らしい方法で便利になる事である。
請求項４において封筒の底部ののりしろ部分又はフラップ表面部分に、郵便情報等を印刷しのりしろ部分の糊の貼着部分と封筒裏面の貼着部分のできるだけ近くでミシン目等にそって開封し、開封されたのりしろ部分で封緘する事によって従来フラップ部分で開封又は封緘していたものが新しい開封又は封緘方法で便利になる事である。
請求項５において封筒の底部ののりしろ部分の貼着部分の糊の位置がのりしろ部分の折返し部から近い位置と遠い位置になる事が開封又は封緘方法にも重要な要素である。
請求項６において封筒に印刷された返信用郵便情報等の部分に再はくりできるシール等を貼り送信し、貼られている部分のシール等を取り除くと印刷された返信用郵便情報等が表われ返信用封筒を形成する事になり簡単できれいに返信ができる事になる。
請求項７において封筒のフラップの封緘用糊部分をフラップ先端より少し内側にしてそのフラップの先端の糊のついていない部分に１本以上のミシン目等若しくは切り取り線を入れる事によって郵便情報を簡単に取出せ、返信しやすくなる事である。
請求項８において封筒のフラップ部分若しくは封筒本体の裏面部分に透明なフイルム等を貼り表面部分にはミシン目を入れそのミシン目部分を取り除くと郵便情報等が透視できる事によって手間が省け返信しやすくなる事である。
【０００６】
【発明の実施の形態】
図を参照して本発明の実施例を図面に基づき説明する。
図１は横封筒３の展開図１であるが中心線１０から左側ののりしろ部分６を従来ののりしろ部分より少し大きめにとりその部分に郵便情報１４等を印刷する封筒である。又右側ののりしろ部分７でも左側と同様な事ができ同時に左、右６、７両方もできるものである。
【０００７】
左側ののりしろ部分６の折返し部９からできるだけ近い位置に糊を貼着２０し封筒裏面１１をのりしろ部分６にかぶせると封筒裏面１１の最左端の少し内側に糊が貼着される事になる。又右側のりしろ部分７でも左側と同様な事ができるものである。
【０００８】
封筒裏面１１の糊の貼着位置２０より中心線１０寄りに１本以上のミシン目１３等を入れて開封するものである。
【０００９】
開封用ミシン目の切り取り部分１９（別の方法でもよい）を封入時に使用したフラップ５の方向に封筒の底部から引きながら取り除く事によって初めに左側ののりしろ部分６に印刷された返信用郵便情報１４等を引き出す事が可能になり内容物を取り出し返信に必要なものを再び封入して封緘する事によって返信用封筒を形成する事ができる。
【００１０】
図２はフラップ５の表面の一部に返信用郵便情報１４等を印刷し封緘したものであるがミシン目切り取り部分１９の裏側ののりしろ部分６に印刷された返信用郵便情報１４等がかくれている開封前の封筒１５である又左側ののりしろ部分６だけでなく、右側部分にミシン目切り取り部分１９をもうける事によって同様な事ができる。
【００１１】
図３は開封してのりしろ部分６に印刷してある返信用郵便情報１４等部分を引き出し封緘１６したものであるが一方だけでなく左、右ののりしろ部分６、７の両方でも開封し又は封緘できるものである。
【００１２】
図４は横封筒３の展開図１Ａであるが中心線１０から左側ののりしろ部分６を従来ののりしろ部分より少し大きめにとりその部分に返信用郵便情報１４等を印刷する封筒である。又右側ののりしろ部分７でも左側と同様な事ができ同時に左、右のりしろ部分６、７両方もできるものである。
【００１３】
左側ののりしろ部分６の折返し部９からできるだけ遠い位置に糊を貼着２１し封筒裏面１１をのりしろ部分６にかぶせると封筒裏面に対応するのりしろ部分６の最端の少し内側に糊（中心線１０より遠い位置）が貼着される事になる。
【００１４】
封筒ののりしろ部分６の最端の少し内側の糊の貼着された所より内側（中心線寄り）に１本以上のミシン目１３を入れ開封するものである。
【００１５】
開封ミシン目の切り取り部分１９Ａはのりしろ部分６につけられているので製袋した場合は中心線１０に近い所にあるため表面から開封ミシン目の切り取り部分１９Ａは見えず内包されているため指あるいはナイフ等で封筒の内側に力を入れて押し込む様にすると開封ミシン目の切り取り部分１９Ａから切り離されて開封され返信用郵便情報１４等を印刷してある左側ののりしろ部分６を引き出す事が可能になり内容物を取り出し返信に必要なものを再び封入して封緘１６する事によって返信用封筒を形成する事ができる。
【００１６】
図５はフラップ５の表面の一部に返信用郵便情報１４等を印刷し封緘したものであるが左側ののりしろ部分６に印刷された返信用郵便情報１４等がかくれている開封前の封筒１５である。又右側ののりしろ部分７でも左側と同様な事ができ同時に左、右６、７両方もできるものである。
【００１７】
図６は開封してのりしろ部分６に印刷してある返信用郵便情報１４等部分を引き出し封緘１６したものであるが一方だけでなくのりしろ部分の左、右６、７両方でも開封し封緘できるものである。
【００１８】
図７は横封筒３の展開図１Ｂであるが中心線１０から右側ののりしろ部分７と左側ののりしろ部分６を従来ののりしろ部分より少し大きくとりフラップ５表面の一部と又大きくした左右ののりしろ部分６、７に対応する封筒裏面１１に返信用郵便情報１４等を印刷する封筒である。
【００１９】
右側ののりしろ部分７の折返し部９Ａから糊の貼着部分の位置が遠い所２１Ａになる様にする。又左側ののりしろ部分６も左側と同様な事ができる。
【００２０】
封筒裏面１１に対応する右側ののりしろ部分７の糊の貼着部分２１Ａの内側に１本以上のミシン目１３等を入れて開封するものであるがミシン目１３等は左、右ののりしろ６、７の両方とも同様な事ができる。
【００２１】
開封用ミシン目の切り取り部分１９（別の方法でもよい）は右側ののりしろ部分７についているため封筒の天地どちらからでも取り除く事ができ取り除いた切り取り部分の下からすなわち封筒裏面１１の本体に印刷してあった返信用郵便情報１４等が露出する事になる。又露出しながら開封状態になるので返信に必要なものを再び封入して封緘する事によって返信用封筒を形成する事になるものである。
【００２２】
図８はフラップ５の表面の一部に返信用郵便情報１４等を印刷して封緘したものであるが右側ののりしろ部分７でおおわれて返信用郵便情報１４等が見えない様にかくれている封筒である。又左側部分にミシン目の切り取り部分１９をもうける事によって同様な事ができるものである。
【００２３】
図９は開封して封筒裏面１１に印刷してある返信用郵便情報１４等を露出させ封緘１６したものであるが一方だけでなく左、右ののりしろ部分６、７の両方でも開封し又封緘できるものである。
【００２４】
図１０は縦封筒４の展開図２であるが中心線１０Ａから下部（底部）ののりしろ部分８を従来ののりしろ部分より少し大きめにとりそののりしろ部分に返信用郵便情報１４等を印刷する封筒である。
【００２５】
下部（底部）ののりしろ部分８の折返し部９Ｂからできるだけ近い位置に糊を貼着２０Ａし封筒裏面１２をのりしろ部分８にかぶせると封筒裏面１２の最下端の少し内側に糊が貼着される事になる。
【００２６】
封筒の下部（底部）の糊の貼着位置より中心線１０Ａ寄りに１本以上のミシン目１３を入れ開封するものである。
【００２７】
開封ミシン目の切り取り部分１９は封筒裏面１２につけられている（他の方法でもよい）ので左、右どちらからでも開封ができるものである。
【００２８】
図１１は封筒本体の一部に返信用郵便情報１４等を印刷封緘したものであるが開封用ミシン目の切り取り部分１９の裏側ののりしろ部分８に印刷された返信用郵便情報１４等がかくれている開封前の封筒１５である
【００２９】
図１２は開封してのりしろ部分８に印刷してある返信用郵便情報１４等部分を引き出して封緘１６したものである。
【００３０】
図１３は縦封筒４の展開図２Ａであるが中心線１０Ａから下部（底部）ののりしろ部分８を従来ののりしろ部分より少し大きめにとりそののりしろ部分に返信用郵便情報１４等を印刷する封筒である。
【００３１】
封筒の下部（底部）ののりしろ部分８の折返し部９Ｂからできるだけ遠い位置に糊を貼着２１Ａし封筒裏面１２をのりしろ部分８にかぶせると封筒裏面１２の最下端の少し内側に糊が貼着される事になるものである
【００３２】
開封ミシン目の切り取り部分１９Ａはのりしろ部分８につけられているので製袋した場合は中心線１０Ａに近い所にあるため表面から開封ミシン目の切り取り部分１９Ａは見えず内包されているため指あるいはナイフ等で封筒の内側に力を入れて押し込む様にすると開封ミシン目の切り取り部分１９Ａから切り離され返信用郵便情報１４等を印刷してあるのりしろ部分８を引き出す事が可能になり内容物を取り出し返信に必要なものを再び封入して封緘１６する事によって返信用封筒を形成する事ができる。
【００３３】
図１４は封筒本体の一部に返信用郵便情報１４等を印刷して封緘したものであるがのりしろ部分８に印刷された返信用郵便情報１４等がかくれている開封前の封筒１５である。
【００３４】
図１５は開封してのりしろ部分８に印刷してある返信用郵便情報１４等部分を引き出し封緘１６したものである。
【００３５】
図１６は横封筒３で封筒に印刷された返信用郵便情報１４等部分を再剥離できるシール等１７を貼り返信用郵便情報１４等が見えない様にしている所である。又この方法は封筒の表裏どちらでもできるものであり縦封筒４でも同様なことができる。
【００３６】
図１７は上記封筒１３であり再剥離シール等１７で見えない様にしてあった返信用郵便情報１４部分のシール等をはがし返信用郵便情報１４等を露出させたものであり縦封筒４でも同様にできるものである。
【００３７】
図１８は横封筒３を封緘するための糊等がフラップ５の先端より内側に塗布されていてその塗布されていない部分にミシン目１３を１本以上入れ若しくは切り取り線をつけ、封筒本体に印刷してある返信用郵便情報１４等部分をおおいかくして送信するものであり縦封筒４でも同様にできるものである。
【００３８】
図１９は上記封筒３であり糊の塗布されていない部分をミシン目１３若しくは切り取り線で取り除き返信用郵便情報１４等を露出させたものであり縦封筒でも同様にできるものである。
【００３９】
図２０は横封筒の内側に透明なフイルム等１８を貼り外側からミシン目１３を入れフイルム等１８を貼った部分は郵便番号、住所、氏名等の返信用郵便情報１４等が表示される所であり大きさ等はデザインの大、小によって変化するものである。そのデザインされた位置に内容物に印刷された返信用郵便情報１４等があてはまる様に内包されていて送信するものである。又縦封筒４でも同様にできるものである。
【００４０】
図２１は横封筒の返信時外側からつけられたミシン目１３すなわち返信用郵便情報１４等を表示する窓の大きさのミシン目１３を切り除くと返信用郵便情報１４等が透視できる様になるものであり透視される郵便情報で返信封筒を形成するものである。又縦封筒でも同様にできるもので
【発明の効果】
（イ）簡単に返信用封筒にできる。
（ロ）バーコード割引対象になる。
（ハ）コスト削減ができる。
本発明はこれらの効果をもたらすものである。
【図面の簡単な説明】
【図１】本発明の実施の形態による横封筒内カマスの展開図である。
【図２】本発明の実施の形態による横封筒の開封前の図である。
【図３】本発明の実施の形態による横封筒の開封後の封緘封筒の図である。（▲２０▼近い糊の貼着横封筒の説明）
【図４】本発明の実施の形態による横封筒内カマスの展開図である。
【図５】本発明の実施の形態による横封筒の開封前の図である。
【図６】本発明の実施の形態による横封筒の開封後の封緘封筒の図である。（▲２１▼遠い糊の貼着横封筒の説明）
【図７】本発明の実施の形態による横封筒外カマスの展開図である。
【図８】本発明の実施の形態による横封筒外カマスの展開図である。
【図９】本発明の実施の形態による横封筒外カマスの開封後の封緘封筒の図である。
【図１０】本発明の実施の形態による縦封筒の展開図である。
【図１１】本発明の実施の形態による縦封筒の開封前の図である。
【図１２】本発明の実施の形態による縦封筒の開封後の封緘封筒の図である。（２０Ａ近い糊の貼着縦封筒の説明）
【図１３】本発明の実施の形態による縦封筒の展開図である。
【図１４】本発明の実施の形態による縦封筒の開封前の図である。
【図１５】本発明の実施の形態による縦封筒の開封後の封緘封筒の図である。
【図１６】本発明の実施の形態による横封筒の裏面図である。
【図１７】本発明の実施の形態による横封筒の再剥離シールをはがした図である。
【図１８】本発明の実施の形態による横封筒の裏面図である。
【図１９】本発明の実施の形態による横封筒の郵便情報を露出した図である。
【図２０】本発明の実施の形態による横封筒の裏面図である。
【図２１】本発明の実施の形態による横封筒のミシン目部分を取り除く図である。
【符号の説明】
１　１Ａ．１Ｂ　　　横封筒展開図
２　２Ａ　　　　　　縦封筒展開図
３　　　　　　　　　横封筒
４　　　　　　　　　縦封筒
５　　　　　　　　　フラップ
６　　　　　　　　　左側のりしろ
７　　　　　　　　　右側のりしろ
８　　　　　　　　　底部のりしろ
９　９Ａ　９Ｂ　　　折返し部
１０　１０Ａ　　　　　中心線
１１　　　　　　　　　横封筒裏面
１２　　　　　　　　　縦封筒裏面
１３　　　　　　　　　ミシン目
１４　　　　　　　　　返信用郵便情報
１５　　　　　　　　　開封前の封筒
１６　　　　　　　　　開封後の封緘封筒
１７　　　　　　　　　再剥離シール
１８　　　　　　　　　フイルム等
１９　１９Ａ　１９Ｂ　開封用ミシン目の切り取り部分
２０　２０Ａ　　　　　近い糊の貼着部分
２１　２１Ａ　　　　　遠い糊の貼着部分
【図１】
2004123224.tif 000003
【図２】
2004123224.tif 000004
【図３】
2004123224.tif 000005
【図４】
2004123224.tif 000006
【図５】
2004123224.tif 000007
【図６】
2004123224.tif 000008
【図７】
2004123224.tif 000009
【図８】
2004123224.tif 000010
【図９】
2004123224.tif 000011
【図１０】
2004123224.tif 000012
【図１１】
2004123224.tif 000013
【図１２】
2004123224.tif 000014
【図１３】
2004123224.tif 000015
【図１４】
2004123224.tif 000016
【図１５】
2004123224.tif 000017
【図１６】
2004123224.tif 000018
【図１７】
2004123224.tif 000019
【図１８】
2004123224.tif 000020
【図１９】
2004123224.tif 000021
【図２０】
2004123224.tif 000022
【図２１】
2004123224.tif 000023